(57)【要約】  本発明は、芳香性製剤及びその製造方法に関する。芳香性製剤は、少なくとも一つの芳香性化合物、及びキャリア、並びに芳香性化合物とキャリアとを互いに混合及び結合するバインダーを含む。本発明は、芳香性化合物を含む製品の製造方法にも関する。方法は、スクリーン印刷技術を用いて芳香性製剤を製品の少なくとも一つの印刷領域に印刷することを含む。【特許請求の範囲】
【請求項１】
芳香性化合物を含む芳香性製剤であって、前記芳香性製剤は、少なくとも一つの芳香性化合物、及びキャリア、並びに前記芳香性化合物と前記キャリアとを互いに混合及び結合するバインダーを含む、芳香性製剤。
【請求項２】
前記バインダーが界面活性剤から成る、請求項１に記載の芳香性製剤。
【請求項３】
前記界面活性剤がアニオン性界面活性剤、例えばＳＤＳから成る、請求項２に記載の芳香性製剤。
【請求項４】
前記芳香性化合物の結合を強化する少なくとも一つのシリケート化合物を更に含む、請求項１〜３のいずれか一項に記載の芳香性製剤。
【請求項５】
前記芳香性化合物の結合を強化する少なくとも一つの促進剤を更に含む、請求項１〜４のいずれか一項に記載の芳香性製剤。
【請求項６】
一つ以上の印刷インク、一つ以上のニス、及び／又は一つ以上の接着剤を含む、請求項１〜５のいずれか一項に記載の芳香性製剤。
【請求項７】
前記キャリアが水性である、請求項１〜６のいずれか一項に記載の芳香性製剤。
【請求項８】
前記キャリアが溶媒性である、請求項１〜６のいずれか一項に記載の芳香性製剤。
【請求項９】
芳香性化合物、及びキャリア、並びに芳香性化合物とキャリアとを互いに混合及び結合するバインダーを含むよう芳香性製剤を調整する、芳香性化合物を含む芳香性製剤の製造方法。
【請求項１０】
芳香性化合物を含む製品の製造方法であって、前記方法は、請求項１〜８のいずれか一項に記載の芳香性製剤を、スクリーン印刷技術を用いて製品の少なくとも一つの印刷領域に印刷することを少なくとも含む、方法。
【請求項１１】
スクリーン印刷技術を用いて、印刷インク、ニス、及び／又は接着剤の一つ以上を印刷領域に印刷することを更に含む、請求項１０に記載の方法。
【請求項１２】
前記印刷インク、ニス、及び／又は接着剤を印刷する前に、少なくとも一つの芳香性製剤を前記印刷領域に印刷する、請求項１１に記載の方法。
【請求項１３】
前記印刷インク、ニス、及び／又は接着剤を印刷する間に、少なくとも一つの芳香性製剤を前記印刷領域に印刷する、請求項１１に記載の方法。
【請求項１４】
前記印刷インク、ニス、及び／又は接着剤を印刷した後に、少なくとも一つの芳香性製剤を前記印刷領域に印刷する、請求項１１に記載の方法。
【請求項１５】
スクリーン印刷の後に製品をオーブン処理する、請求項１０〜１４のいずれか一項に記載の方法。
【請求項１６】
請求項１０〜１５のいずれか一項に記載の方法によって製造した、芳香性化合物を含む製品。
【請求項１７】
前記製品が、繊維性製品、例えば、布地、布帛、フェルト、綿、布地、アクセサリ、汗止め、リストバンド、衣服、ズボン、シャツ、フラットキャップ、ニット帽、ヘッドギア、バッグ、ポーチ、ビールコースター、ボール紙の切抜き、販売スタンド、保存容器、ディスプレイケース、パンフレット及びイラストカタログ、バインダー、フォルダ、携帯、テーブルラック、床ラック、棚飾り、製品パッケージ、パッケージ材料、ケース、箱、パンフレット、カレンダー、定規、ディスプレイ、容器（ｃｏｍｐｒｉｓｅｅｒ）、ディスペンサー、ガラスコースター、名刺、イラストカタログ、書類、封筒、雑嚢、バッグ、パッド、メモパッド、プラスチックスリーブ、ブリーフケース、ポケット、背景広告、製品情報カード、テーブルクロス、テーブル広告、箱、又は販売促進、マーケティング、ダイレクトメールのために設計された他のいくつかの物品若しくは製品である、請求項１６に記載の製品。
【請求項１８】
芳香性製剤として、請求項１６又は１７のいずれかに記載されているものとして製造された、芳香性化合物を含む製品の使用。
【発明の詳細な説明】
【技術分野】
【０００１】
本発明は、芳香性化合物を含む芳香性製剤、及びその製造方法に関する。また、本発明は、芳香性化合物を含む製品の製造方法、及びそのような製品の使用に関する。
【背景技術】
【０００２】
伝統的には、例えば印刷製品上に芳香性化合物を浸漬するか又は吹き付けるかのいずれかによって、基材材料に芳香性化合物を直接添加することによって、製品に芳香性化合物を添加してきた。従来知られている技術に関する問題としては、芳香性化合物の投与は面倒で高価であるということか、又は方法が印刷製品上へ十分に多くの芳香性化合物を投与することができないということのいずれかである。芳香性物質をカプセル化し、これを摩耗及び擦ることによって壊すことによって、香りを提供することもできる。この方法は面倒であり、技術的に複雑でもある。印刷インク、ニス、及び／又は接着剤中の補助剤の形態で芳香性化合物を製品に加える、従来から知られている方法もある。
【発明の概要】
【発明が解決しようとする課題】
【０００３】
発明したものは、製品に添加する点において技術的に非常に有益な形態の芳香性化合物を含む芳香性製剤である。本発明の他の目的は、芳香性化合物を含む製品の製造方法、及びそのような製品の使用である。
【課題を解決するための手段】
【０００４】
この目的を達成するために、本発明は、独立請求項に提示するものによって特徴付けられる。他の請求項は、本発明の好ましい実施形態のいくつかを開示する。
【０００５】
本発明の芳香性製剤は、少なくとも一つの芳香性化合物及びキャリア、並びに芳香性化合物とキャリアとを互いに混合及び結合するためのバインダーを含む。
【０００６】
芳香性化合物を含む芳香性製剤を製造する様々な方法があり、印刷領域は製品の様々な部分に位置してもよい。キャリアは、芳香性化合物による要求に応じて、及び製品の使用目的に従って変化させてもよい。例えば、キャリアは、接着剤、又はその種の他のいくつかの処方であることができる。キャリアは水性であってよく、又は溶媒性であってもよい。
【０００７】
本発明の目的の一つによれば、バインダーは、キャリアを混合及び結合するための界面活性剤から成る。界面活性剤は、好ましくはアニオン性界面活性剤から成る。好ましくは、界面活性剤はＳＤＳ（ラウリル硫酸ナトリウム）から成る。例えば、ＳＤＳの濃度は０．５〜２％（ｗ／ｖ）、例えば、好ましくは０．８％（ｗ／ｖ）超、又は１％（ｗ／ｖ）超であることができ、したがって、製品への添加にとって技術的に非常に有益な芳香性処方を提供する。これによって、芳香性処方は、スクリーン印刷技術による実際の製品への便利な添加を可能にする形態で提供することができる。
【０００８】
本発明の目的の一つによれば、芳香性処方は、芳香性化合物の結合を強化する少なくとも一つのシリケート化合物を更に含む。シリケート化合物は製品の粘度を変化させ、芳香性化合物を溶液へとより効果的に更に結合させることがある。シリケート化合物は、意図する用途による必要に応じて変化させてもよい。
【０００９】
別々のバインダーを使用することは、従来知られている溶液に関する効果の点で、方法を実質的に改善する。芳香性化合物の添加は、他のスクリーン印刷条件を変えることなく、非常に効果的に最適化することができる。芳香性化合物の用量は特に正確になり、方法の操作は、芳香性化合物自身及びそれ以外の両方について、所定時間で必要に応じて調整することができる。製品上にバインダー及び芳香性処方を印刷することは、容易で技術的に単純な解決策である。印刷は別の装置を必要とせず、印刷においてスクリーン印刷技術によって提供される非常に著しい利点を一般に達成する。したがって、芳香性化合物の添加は、技術的に非常に有効な操作である。同時に、非常に良好な経済的意味がある。
【００１０】
本発明の製品は、芳香性処方及びバインダーのみを含んでもよく、又はスクリーン印刷技術及び他の手段によって印刷される他の化合物を含んでもよい。方法は、例えば所望のパターン又は色を印刷する、例えばシャツの製造に用いることができる。したがって、この新規な方法は、その意味においても、従来知られている技術に勝る実質的な利点を提供する。
【００１１】
本発明の目的の一つによれば、方法は、スクリーン印刷技術を用いて、印刷インク、ニス、及び／又は接着剤の一つ以上を印刷領域に印刷することを更に含む。本発明の目的の一つによれば、印刷インク、ニス、及び／又は接着剤を印刷する前に、少なくとも一つの芳香性処方を印刷領域に印刷する。本発明の目的の一つによれば、印刷インク、ニス、及び／又は接着剤を印刷する間に、少なくとも一つの芳香性処方を印刷領域に印刷する。本発明の目的の一つによれば、印刷インク、ニス、及び／又は接着剤を印刷した後に、少なくとも一つの芳香性処方を印刷領域に印刷する。様々な用途における方法の有用性は、これ／これらによって多様化され、その有用性は広範囲にわたる印刷方法に拡大される。
【００１２】
本発明の目的の一つによれば、芳香性処方及び／又はバインダーを、芳香性化合物の結合を強化するための促進剤とともに添加する。これは、方法を確実にし、及び調整し、及び強化して、最適にするために使われる。
【００１３】
本発明の目的の一つによれば、スクリーン印刷の後に製品をオーブン処理する。これは、一般に、乾燥及び製造を促進する。更に、それは製品の取扱いを改善する。
【００１４】
製品の基材材料としては、例えば、紙、板紙、ボール紙、木製品、プラスチック、ゴム、金属、ガラス、セラミック製品、布地を含む群から選択することができる。本発明の目的の一つによれば、製品は、繊維性製品、例えば布地である。別々のバインダーを使用する利点は、特に繊維性製品の印刷において明らかとなる。例えば、方法は布地の印刷に特に良好である。本発明の目的の一つによれば、いくつかの他の印刷技術、例えばオフセット技術を用いて、製品の基材材料上に、印刷インク、接着剤、及び／又はニスの少なくとも一つを印刷する。したがって、方法は、非常に多様な用途に利用することができる。それは早ければ初期生成物の処理、若しくは製品の処理後にさえ使用することができ、又は複合印刷技術に使用することができる。
【００１５】
本発明によって製造される芳香性化合物を含む製品は、例えば：繊維性製品、例えば布地、布帛、フェルト、綿、布地、アクセサリ、汗止め、リストバンド、衣服、ズボン、シャツ、フラットキャップ、ニット帽、ヘッドギア、バッグ、ポーチ、ビールコースター、ボール紙の切抜き、販売スタンド、保存容器、ディスプレイケース、パンフレット及びイラストカタログ、バインダー、フォルダ、携帯、テーブルラック、床ラック、棚飾り（ｓｈｅｌｆ  ｗｏｂｂｌｅｒ）、製品パッケージ、パッケージ材料、ケース、箱、パンフレット、カレンダー、定規、ディスプレイ、容器、ディスペンサー、ガラスコースター、名刺、イラストカタログ、書類、封筒、雑嚢、バッグ、パッド、メモパッド、プラスチックスリーブ、ブリーフケース、ポケット、背景広告、製品情報カード、テーブルクロス、テーブル広告（ｔａｂｌｅ  ｔａｌｋｅｒ）、箱、又は販売促進、マーケティング、ダイレクトメールのために設計された他のいくつかの物品若しくは製品である群に含まれる製品として使用することができる。製品は半仕上げ品又は完成品であってよく、消費者、例えば、営業及びマーケティングを対象とすることができる。
【００１６】
インク、ニス、及び接着剤について、スクリーン印刷技術の転写性能は、例えばオフセット印刷技術と比べて１０倍程度複数である。したがって、転写される芳香性化合物は、比例して複数の転写性能を有する。したがって、スクリーン印刷技術の使用は、他の印刷技術よりも、芳香性化合物の転写に基本的利点を提供する。別々のバインダーを使用することは、印刷自体さえも最適化することができるので、更に著しい改善を提供する。
【００１７】
本出願において、スクリーン印刷技術は、インクをスクリーンに通して印刷する製品上へと供給する印刷技術を意味する。スクリーン印刷は、元々シルクスクリーンを用いて行われたので、一般にシルクスクリーン印刷とも呼ばれている。原理的には、本発明は、スクリーンを用いた手動及び半自動技術並びに自動化ラインの使用を含む、全ての種類のスクリーン印刷技術、又はそれらの上を移動する印刷可能な製品に適用可能である。スクリーンの物性は所望の通りに変えてもよい。実際、スクリーンの密度を用いて、例えば製品に印刷されるインク及び芳香性化合物の量に関する違いを生じさせることができる。より高密度なスクリーンを使用する場合、粗いスクリーンを用いるよりもインクの量は少なく、芳香性化合物の量もスクリーン密度によってそれぞれ変化する。
【００１８】
そのような製品の製造は、製品の用量が正確であり、容易であり、及び単純であるので、特に技術的な意味において有益である。例えば、充分な量の芳香性化合物を供給することは容易である。方法は、多種多様な基材材料に対して良好であり、芳香性化合物は、基材材料自身に吸収又は制約される必要はない。
【００１９】
従来技術と比較して、方法によって製造される製品によって提供される特定の利点は、これによって製品中の芳香性化合物の量を、容易に及び正確に制御することができるということである。印刷の型式もまた、その放出の制御を可能にする利点を提供する。例えば、スクリーン印刷技術によって芳香性化合物をインクへと印刷し、通気性のあるニスで部分的に覆った製品を製造することができる。この場合、長時間にわたって製品から芳香性化合物が放出される。それぞれ、芳香性化合物を表面ニスと組み合わせて製品上に印刷して、それによって、比較的より速くより高濃度で放出することができる。
【００２０】
芳香性化合物は、少なくとも嗅覚でわかる又は測定可能ないくつかの種類の香りを放出する、あらゆる物質、化合物、又は混合物であることができる。そのような物質、化合物、若しくは混合物を一つだけ含んでもよく、又は化合物、及び／若しくは混合物の２つ以上の物質を様々な割合で含んでもよい。芳香性化合物は、香り生成物質、化合物、又は混合物の一つ以上を含む、植物又はその一部であってよい。芳香性化合物は、例えば、植物抽出物であることもできる。本出願において、特定の芳香性化合物は、特定の上記の香りを生ずる主な又は少なくとも部分的な原因となるそのような化合物を意味する。しかしながら、そのような特定の芳香性化合物の香りはばらつくことがあり、例えば、リンゴの香りは、酸っぱいリンゴ又は甘いリンゴの香りである可能性があり、例えば、パンの香りは広範囲にわたる変形を有する可能性がある。
【００２１】
本発明の目的の一つによれば、スクリーン印刷技術によって印刷した製品に、エンボス加工した記号、凹み、及び孔、例えば点字技術又は他のいくつかの同様の技術によりエンボス加工された記号を更に印刷する。これによって、例えば盲人又は視力障害者による使用のための組合せが好ましくは提供される。例えば薄暗がりで製品を扱うあらゆる場合に、好ましく有用であることがわかった。
【００２２】
本発明の目的の一つによれば、芳香性化合物は、アレルギー試験したもの、及び／又はその影響にさらされた者にとって、アレルギー、過敏症、光過敏症、若しくは一般的な刺激を引き起こさない種類である。そのような製品の使用は特に様々な用途において安全である。芳香性化合物は、食品グレード製品として好ましくは適用することもできる。
【００２３】
本発明の目的の一つによれば、芳香性化合物は一つ以上の有機芳香性化合物を含む。これらは、本発明の用途を更に多目的にする。これらは、例えば、そうでなければ芳香性原料を用いて考え出さなければならない香りの組合せを達成する。例えば生のタバコの香りとバニラの香りとの組合せは、バニラ風味の葉巻に似た組合せにつながる。本発明の目的の一つによれば、芳香性化合物は一つ以上の無機芳香性化合物を含む。これらは、更に本発明の用途を多様化する。
【００２４】
本発明の目的の一つによれば、芳香性化合物の一つは、紙インク、プラスチックインク、布地インク、ＵＶインクを含む群から選択される。紙インクは、溶媒性であることができ、又は水性であることができる。更に適用可能なものは、様々な程度の光沢、すなわち艶消し仕上げ又は光沢仕上げを有するインクである。これに加えて、例えば宝くじに用いるスクラッチカードインク、又は暗所の光及び輝きを吸収する蛍光インク、又は光反射インクを使用することができる。そのような用途は、同時に色による誘引及び臭気による誘引の両方を達成することが望まれるあらゆる場合に、例えば、釣り用疑似餌のコーティングの製造に、又は例えば動物が避ける特定のヒトの臭気を隠す目的を有する香りのする反射材若しくは狩猟用ジャケットに利用することができる。
【００２５】
一般に、プラスチックインクは全て溶媒性である。プラスチックインクにおいても、艶消し仕上げ及び光沢仕上げの選択肢は利用可能である。例えば金属表面のための２成分プラスチックインクを使用することもできる。プラスチックインクは、色を断つ又はプライマーとして使用する、色素又はベースペーストカラーを更に含んでもよい。
【００２６】
織物インクは、プラスチゾル、１又は２成分、並びに水彩ベースのインクに一般に分けられる。様々なコーティングインク、蛍光インク、及びシンナーも有用である。
【００２７】
本発明は、紫外線硬化可能なインクの利用も可能にする。これらは、他のインクと同様であるが、乾燥させるために紫外線を必要とする。
【００２８】
インクの混合は印刷工場で行うことができ、又は工場はインク供給元から特定の色調のインクを直接注文してもよい。
【００２９】
本発明の目的の一つは、以下を含む群から選択される一つ以上の芳香性化合物によって提供される。
−いくつかのタールの製品の芳香性化合物、例えば薄い液体パインタール、又はパインタールピッチの芳香性化合物。
−いくつかの煙の芳香性化合物、例えば煙突のないサウナ、又はタールの煙の芳香性化合物。
−いくつかの飲料の芳香性化合物、例えばコーヒー、ホットチョコレート、お茶、ミード、ワイン、又はビールの芳香性化合物。
−いくつかの植物の芳香性化合物、例えばミント、又は樺の芳香性化合物。
−いくつかの香辛料の芳香性化合物、例えばニンニク、黒胡椒、又は白胡椒の芳香性化合物。
−いくつかの果物の芳香性化合物、例えばリンゴの芳香性化合物。
−いくつかの花の芳香性化合物、例えばバラ、又はスズランの芳香性化合物。
−いくつかの食品の芳香性化合物、例えばパン、ペストリー、燻製肉、又は燻製魚の芳香性化合物。
−いくつかの動物の芳香性化合物、例えばウマの芳香性化合物。
−いくつかのベリーの芳香性化合物、例えばラズベリーの芳香性化合物。
【００３０】
本発明は、非常に様々なプロジェクトにおける非常に広範囲な任意の用途を有する。これらは、本発明の用途を更に多様化することを可能にする。
【国際調査報告】
2015511970.tif 000002
2015511970.tif 000003
2015511970.tif 000004